(57)【要約】      （修正有）【課題】フラワースタンドを簡易な構造で装飾しうるフラワースタンド用の衣装様装飾布地を提供する。【解決手段】花受け部５と脚部とを有するフラワースタンド本体４に装着されるフラワースタンド用の衣装様装飾布地２は、花受け部５の周囲に脱着自在に取り付けられる上半身用布地部２１と、上半身用布地部から垂下されて脚部の周囲に配される下半身用布地部２２と、を具備し、フラワースタンド本体に装着された状態で、花受け部に配置された花の少なくとも一部があたかも顔に対応するように上半身用布地部の上方に位置してなる。【選択図】図１
0003209059.tif 000002
【実用新案登録請求の範囲】
【請求項１】
自立可能な脚部と、前記脚部の上端部に配設された花受け部とを有するフラワースタンドに装着されるフラワースタンド用の衣装様装飾布地であって、
前記花受け部の周囲に脱着自在に取り付けられる装着部を有する上半身用布地部と、
前記上半身用布地部と連続して前記脚部の周囲に配される下半身用布地部と、
を具備し、
前記上半身用布地部が前記装着部を介して前記花受け部に取り付けられて前記フラワースタンドに装着された状態で、前記花受け部に配置された花の少なくとも一部が前記上半身用布地部の上方に位置してなることを特徴とするフラワースタンド用の衣装様装飾布地。
【請求項２】
前記下半身用布地部がスカート形状である
請求項１に記載のフラワースタンド用の衣装様装飾布地。
【考案の詳細な説明】
【技術分野】
【０００１】
本考案は、フラワースタンドに装着される衣装様装飾布地に関する。
【背景技術】
【０００２】
従来、一般的なフラワースタンドは、脚部と、花を受ける鉢部とを備えたものがよく知られている。また、場合によっては、脚部や鉢部の外観形状において意匠性の高いものも既に提供されている（例えば、特許文献１参照。）。
【先行技術文献】
【特許文献】
【０００３】
【特許文献１】特開平９−２３８７９９号公報
【考案の概要】
【考案が解決しようとする課題】
【０００４】
しかしながら、上記特許文献１に開示された構成にあっては、見た目の華やかさなどは花の外観とフラワースタンド自身のデザインに限定されてしまっており、意匠性の向上を図るには限界が生じていた。
【０００５】
そこで本考案は、従来にない斬新なフラワースタンド用の衣装様装飾布地を提供することを目的とする。
【課題を解決するための手段】
【０００６】
本考案は、自立可能な脚部と、前記脚部の上端部に配設された花受け部とを有するフラワースタンドに装着されるフラワースタンド用の衣装様装飾布地であって、前記花受け部の周囲に脱着自在に取り付けられる装着部を有する上半身用布地部と、前記上半身用布地部と連続して前記脚部の周囲に配される下半身用布地部と、を具備し、前記上半身用布地部が前記装着部を介して前記花受け部に取り付けられて前記フラワースタンドに装着された状態で、前記花受け部に配置された花の少なくとも一部が前記上半身用布地部の上方に位置してなることを特徴とするフラワースタンド用の衣装様装飾布地である。
【０００７】
また、前記下半身用布地部はスカート形状であってもよい。
【考案の効果】
【０００８】
本考案にかかるフラワースタンド用の衣装様装飾布地は、従来にない演出を実現することができる優れた効果がある。
【図面の簡単な説明】
【０００９】
【図１】フラワースタンドに装着された衣装様装飾布地を示す正面図である。
【図２】（ａ）はフラワースタンドを示す正面図であり、（ｂ）は衣装様装飾布地を示す正面図である。
【図３】衣装様装飾布地の装着部を拡大して示す拡大説明図である。
【考案を実施するための形態】
【００１０】
以下に本考案を具体化した実施例を詳細に説明する。なお、本考案は、下記に示す実施例に限定されることはなく、適宜設計変更が可能である。
【００１１】
図１に示すように、衣装様装飾布地付きフラワースタンド１は、フラワースタンド本体４にフラワースタンド用衣装様装飾布地２（以下、適宜、衣装様装飾布地２という）が装着されて構成されている。
【００１２】
まず、フラワースタンド本体４について説明する。
【００１３】
図２（ａ）に示すように、フラワースタンド本体４は、設置面に置かれる自立可能な所定高さの脚部６と、脚部６の上端部に取り付けられる鉢状の花受け部５とを備えている。そして、花受け部５に多数の花が収容されて花部３が構成される。なお、花受け部５における上端部の外周面には、帯状の面ファスナーで構成されたスタンド側取付手段５１が貼着されている。このスタンド側取付手段５１の使用態様については、後で詳述する。
【００１４】
次に、衣装様装飾布地２について説明する。
【００１５】
図２（ｂ）に示すように、衣装様装飾布地２は、全体としてほぼ筒状に縫製されてなり、その外観形状は例えば女性の衣装（例えばドレス）をイメージして作製することができる。具体的には、ドレスの上半身部に相当する上半身用布地部２１と、上半身用布地部２１と連続しており、スカート形状の下半身部に相当する下半身用布地部２２とを備えている。
【００１６】
また、上半身用布地部２１の上端部には、装着部２３が形成されている。具体的には、図３に示すように、上半身用布地部２１の上端開口部２５の内周面に、帯状の面ファスナーで構成された布地側取付手段２４が貼着されている。
【００１７】
次に、衣装様装飾布地２の装着手順を説明する。
【００１８】
まず、衣装様装飾布地２内に、フラワースタンド本体４を配置すると共に、スタンド側取付手段５１と布地側取付手段２４とを貼り合わせて、花受け部５の周囲に上半身用布地部２１を配し、かつ、脚部６の周囲に下半身用布地部２２を配置する。
【００１９】
上記構成にあっては、フラワースタンド本体４に装着された状態で、花受け部５に配置された花部３の少なくとも一部が上半身用布地部２１の上方に位置してなると共に、上半身用布地部２１から下半身用布地部２２が垂れ下がることにより、あたかも花部３が、ドレスを纏って立つ女性の顔に対応する斬新なデザインが成立する。これにより、従来にないデザインの衣装様装飾布地付きフラワースタンド１（図１参照）を提供することが可能となり、さらには、新しい斬新な空間を提供することもできる。
【００２０】
なお、本考案にあって、花部３のデザインと衣装様装飾布地２のデザインは、状況に合わせて適宜変更可能であることは勿論である。また、衣装様装飾布地付きフラワースタンド１のサイズも適宜変更可能であり、等身大のサイズでもよいし、卓上用の小さなサイズであってもよいし、又は等身大のサイズよりもさらい大きいサイズであってもよい。
【００２１】
本考案にあって、上述のように上半身用布地部２１と下半身用布地部２２とが明確に区画されているデザインが採用される必要はなく、例えば上半身用布地部２１と下半身用布地部２２とが明確に区画されていないいわゆるワンピースタイプのデザインが採用されていても勿論よい。
【００２２】
また、衣装様装飾布地１は、女性用ドレスの外観形状に限定されず、男性用衣装の外観形状であってもよい。
【符号の説明】
【００２３】
１    衣装様装飾布地付きフラワースタンド
２    衣装様装飾布地
３    花部
４    フラワースタンド本体
５    花受け部
６    脚部
２１  上半身用布地部
２２  下半身用布地部
２３  装着部
【図１】
0003209059.tif 000003
【図２】
0003209059.tif 000004
【図３】
0003209059.tif 000005